(57)【特許請求の範囲】
【請求項１】
後身頃に設けられた開口部に安全保護具が通される作業服であって、前記後身頃の裏側から開口部よりも大きな閉塞片が開口部の上縁と左右縁に縫合されて、前記閉塞片の下縁から安全保護具のＤ環が前記作業服の外側に突出可能であって、前記閉塞片はさらに上縁が前記後身頃の内側に開くポケットを前記開口部に重なる位置に有していることを特徴とする作業服。
【発明の詳細な説明】
【技術分野】
【０００１】
本発明は、安全器具を装着して着用できる作業服に関するものである。
【背景技術】
【０００２】
高所作業では、墜落を防ぐため作業者は安全帯を装着する。ハーネス型安全帯は、ランヤード（命綱）を背中の中央上部のランヤードコネクタに対して、取り付ける必要がある。ランヤードコネクタとしては、一般にＤ字状の金具（Ｄ環）が用いられている。ハーネス型安全帯を着用したその上に、作業服を着用する場合、ハーネス型安全帯のＤ環に相当する位置に、後身頃に開孔を設け、この開孔からＤ環を出してランヤードを接続する。例えば特許文献１により知られる技術によれば、ハーネス型安全帯を装着し、その上に作業服を着用できるよう、作業服の後身頃に開口部を設け、開口部からハーネス型安全帯を通してランヤードに接続して使用できるようになっている。
【０００３】
一方、作業服内に外気を取り込み内側の冷却を行う作業服では、開口部から空気が逃げてしまうのが問題になる。例えば特許文献２によれば、後身頃に設けられた開口部を塞いで、空気の漏れを防ぐ技術が開示されている。一対の開口片は開口部の上側と下側に夫々縫着され、互いに重ね合わされている。一対の開口片を上下方向に開くことにより、開口部が開口される。開口部の内側の左右に収縮片が設けられている。収縮片はゴム製で、上下の開口片を橋渡しするように縫合されている。
【先行技術文献】
【特許文献】
【０００４】
【特許文献１】米国特許第６２５６７８９号公報
【特許文献２】実用新案登録第３２１５５７４号公報
【発明の概要】
【発明が解決しようとする課題】
【０００５】
上記目的を達成するために、本発明の作業服は、後身頃に設けられた開口部に安全保護具が通される作業服であって、前記後身頃の裏側から開口部よりも大きな閉塞片が開口部の上縁と左右縁に縫合されて、前記閉塞片の下縁から安全保護具のＤ環が前記作業服の外側に突出可能であって、前記閉塞片はさらに上縁が前記後身頃の内側に開くポケットを前記開口部に重なる位置に有していることを特徴とする。
【課題を解決するための手段】
【０００６】
上記目的を達成するために、本発明の作業服は、後身頃に設けられた開口部に安全保護具が通される作業服であって、前記後身頃の裏側から開口部よりも大きな閉塞片が開口部の上縁と左右縁に縫合されて、前記閉塞片の下縁から安全保護具のＤ環が前記作業服の外側に突出可能であって、前記閉塞片はさらに前記後身頃の内側に開くポケットを前記開口部に重なる位置に有していることを特徴とする。
【発明の効果】
【０００７】
この発明によれば、閉塞片はポケットを設けており、Ｄ環を開口部から出した際、閉塞片のポケットはＤ環の輪の内側に広がり、作業服内からの空気の流れを止めて、空気の抜けを最小限にすることができる。また、部分折り返し部を設けていることにより、ポケットが広がりやすくなる。
【図面の簡単な説明】
【０００８】
【図１】本発明に係る作業服の背面図である。
【図２】開口部の構造を説明する図であって、図２Ａは開口部の表側の説明図、図２Ｂは開口部の裏側において閉塞片を縫合した後の状態の説明図、図２ＣはＸ−Ｘ断面図、図２ＤはＹ−Ｙ断面図である。
【図３】開口部の重なりと縫合を説明する図であって、図３Ａは後身頃の説明図、図３Ｂは上の開口片を重ねたときの状態の説明図、図３Ｃは下の開口片を重ねたときの状態の説明図、図３Ｄから図３Ｆは閉塞片の説明図、図３Ｇは閉塞片を重ねたときの状態の説明図である。
【図４】開口部の作用を示す図であって、図４Ａは開口部の表側で開口部を開いた状態の説明図、図４Ｂは開口部の表側でＤ環を開口部から出した状態の説明図、図４Ｃは開口部の裏側でＤ環を開口部から出した状態の説明図である。
【図５】開口部の作用を示すＸ−Ｘ断面図（図２Ｂ）であって、図５Ａは折り返し部が無い場合の説明図、図５ＢはＤ環を開口部から出した状態の説明図、図５ＣはＤ環を開口部から出した状態で送風を開始した際の説明図である。
【発明を実施するための形態】
【０００９】
以下、本発明に係る作業服の一実施の形態について、図面を用いて説明する。
図１において、作業服（上着）１は後身頃２、袖３、襟４等を有している。後身頃２の幅方向の中央に開口部５がある。開口部５は、作業服１の下に作業者が装着したハーネス型安全具を挿通可能とする孔である。後身頃２の下部の左右には、ファンを取り付ける空気取り込み口が開口されている（図では２箇所）。作業服１はファンを用いて、衣服内に空気を流通させることにより、身体を冷却するもので、ファンにより取り込まれた外部の空気は、衣服内側を介して、襟口、袖口より排出される。
【００１０】
図２に開口部５の周辺の構造を示す。開口部５は、互いに重なりあう開口片６と開口片７と閉塞片８により閉鎖されている。開口片６と開口片７は、主にハーネス型安全帯が用いられないときに、開口部５を塞ぐものである。また、閉塞片８は、主にハーネス型安全帯のＤ環が開口部５から突出されるときに、Ｄ環により生ずる隙間を埋めるために用いられるものである。後身頃２を表側から見た図２Ａにおいて、開口部５を開口片６が塞ぐように見えている。一方、後身頃２を裏側から見た図２Ｂにおいては、開口部５を開口片７と閉塞片８が塞ぐように見えている。
【００１１】
尚、以後本明細書において、開口部５の長さ方向（横方向）をａ方向とし、開口部５の縦方向をｂ方向とし、開口部５に重なる前後方向（図の紙面の表裏方向）をｃ方向とする。
【００１２】
開口部５に対する、開口片６、開口片７、閉塞片８との重なり方や、縫合位置について、図３を用いて説明する。図３は、開口部５に対する重なりと縫合を説明する図である。図３において、開口片６、開口片７、生地８０は、縮性の無い若しくは乏しい布地であり、図３Ｂ、３Ｃ、３Ｄにおいて長方形により示されているが、布地を２つ折りにされた後の状態であったり、一片の柔軟な薄板であったりする。後身頃２と同じ生地でも良い。なお、図３Ｂ、３Ｃ、３Ｇにおいては、存在を強調するために開口片６、開口片７、閉塞片８の輪郭を太線にて描いている。
【００１３】
図３Ａは、後身頃２の開口部５である。次に、図３Ｂに示すように、開口片６が開口部５に対して重なっている。開口片６のｂ方向下側の縁が、開口部５のｂ方向下側の縁に重なる若しくは、一致するように重ねられる。縫合箇所は一点鎖線６０により示されており、開口部５のｂ方向上側の縁及び開口部５の左右縁である。一点鎖線６０をなぞるように縫合糸で縫合される。一方、開口部５は破線にして示している。尚、一点鎖線と破線の表示は、図３の他の図でも同様である。
【００１４】
次に、図３Ｃに示すように、開口片７が開口部５に対して重なる。縫合箇所は、開口部のｂ方向下側の縁及び開口部の左右縁である。縫合箇所は一点鎖線７０により示されており、開口部５のｂ方向下側の縁及び開口部５の左右縁である。開口片７の上側の縁が、開口部５のｂ方向上側の縁にまでは届かなくて良い。
【００１５】
開口片６と開口片７がこのように重なることにより、ハーネス型安全帯を使用しないときにおいて、作業服の内部から空気が漏れないように作用する。このような構成は、ポケットから内部のものがこぼれないようにした構造として知られている（例えば、実開昭５９−１００８２０号公報）。
【００１６】
内部からこぼれないように開口部５を開閉する構造は、本実施例の開口片６と開口片７のように互いに重なり合う構成のみならず、他の構成でも良い。例えば、特開昭６２−３８１９３号公報により知られた玉縁仕上げの方法もある。また、線ファスナーを代わりに用いることも可能である（例えば、特開２０００−５４２０８号公報）。これらの構成は、開口片は互いに重なり合うものではないが、開口部５の開口を小さくする。
【００１７】
次に、開口部５に対して閉塞片８をｃ方向において重ねるが、閉塞片８の構成について図３Ｄ−Ｆを用いて説明する。閉塞片８は、生地８０の下部から１／４から１／３を手前に谷折りして（二点鎖線８４）、ポケット８ｂが作成されている。図３Ｅにおいて、さらに、ポケット８ｂの左右の両端の上縁を部分的に二点鎖線８１に沿って下側に向けて折り返し、このようにしてできた左右の部分折り返し部８ｃを縦方向に縫合する（一点鎖線８２）。この部分折り返し部８ｃは、ポケット８ｂの上縁８ａが前後のｃ方向に離れがちになるように、癖を付けるための望ましい構造である。但し、必須ではない。
【００１８】
図３Ｇにおいて、閉塞片８が開口部５に対してｃ方向において重なる。縫合箇所（一点鎖線８３）は、開口部５のｂ方向上側の縁及び開口部５の左右縁である。ポケット８ｂは、上縁８ａが後身頃２の内側となり、ポケット８ｂが後身頃２の内側に向いて開くようになっている。後身頃２に対する開口片６と開口片７の縫合位置を示す一点鎖線６０、７０よりも外側であるが一部重なっていても良い。また、一点鎖線８３と一点鎖線８２の縫合箇所は、一回の縫合で成し遂げても良い。閉塞片８の下縁８ｄが、開口部５のｂ方向下側の縁を超えている。また、ポケット８ｂの上縁８ａは開口部５のｂ方向下側の縁よりも上側であって、開口部５と重なる位置である。ポケット８ｂの上縁８ａは、ハーネス型安全帯のＤ環の大きさに関係するが、殆どの場合において、開口部５のｂ方向上側の縁と下側の縁の間に位置するのが望ましい。
【００１９】
図２に戻り、図２Ｃ、図２Ｄにおいて、Ｘ−Ｘ断面及びＹ−Ｙ断面が示されている。図において、開口片６、開口片７、閉塞片８は、布地を２つ折りにされた布地として示している。後身頃２の表側（図の右側）において、開口片６が開口部５を塞いでおり、その後ろ側に開口片７が一部重複している状態が示されている。開口片６と開口片７は、夫々縫合糸５１、５２により、後身頃２に対して縫合位置において縫合されている。開口部５を塞ぐように閉塞片８が縫合糸５３により縫合されている。また開口片６と開口片７が重なる左右縦方向の位置に置いては(図示せず)、開口片６と開口片７の両者に対して縫合位置において縫合されている。尚、縫合糸５３は、後身頃２に対して貫通していても良い。
【００２０】
図４、図５には、本実施例による作業服の作用が示されている。図４Ａにおいて、開口片６と開口片７と上下方向に開くことにより、開口部５が開口される。図４Ｂは、開口部５の表側でハーネス型安全帯のＤ環１０を開口部５から出した状態の説明図である。図４Ｃは、後身頃２の裏側から見た状態である。Ｄ環１０は切断された状態で示している。
【００２１】
図４Ｃに示すように、Ｄ環１０により押し広げられた開口部５には、Ｄ環の輪の内側の空間（矢印Ｐ参照）に相当する部分が大きく開いたままになる。Ｄ環１０を構成する軸部の太さが太くなればなるほど、大きく開く。尚、Ｄ環１０に接続されるランヤード（図示せず）は、通常の状態においては、緊張状態に無く、垂れ下がった状態であるので、Ｄ環１０は作業服の中から下向きに開口部５から突出している。
【００２２】
図５は、開口部５のＺ−Ｚ断面（図４Ｃ）が示されている。ポケット８ｂの図５Ａは、ポケット８ｂの部分折り返し部８ｃを設けない場合の例である。開口部５にＤ環１０を押し込むと、平坦的であった開口片６、閉塞片８は、Ｄ環１０の存在により後身頃２の外側に向かって押し出される。この結果、開口片６と閉塞片８のａ方向の長さは変わらないため、外側の開口片６が引張状であるのに対して、内側の閉塞片８は若干弛み状である。従って、多くの場合、弛んだポケット８ｂの上縁８ａは、Ｄ環１０の輪の内側に開きがちである。図５Ａでは、ポケット８ｂの上縁８ａが開かなかった場合に、作業服１内に外気が取り込まれて内側の冷却が開始された状態を示している。内部の空気は、Ｄ環１０の輪の部分を通して、作業服１の内部からそのまま逃げ出している。
【００２３】
図５Ｂは、Ｄ環１０の挿入により、ポケット８ｂの上縁８ａが開いた場合の例を示している。部分折り返し部８ｃを設けた場合には、ポケット８ｂの上縁８ａは開くように付勢されているので、ポケット８ｂの上縁８ａが開く確率を上昇させることができる。ポケット８ｂの上縁８ａが開いた状態の場合に、作業服１内側の冷却が開始されると、図５Ｃに示すように、Ｄ環１０の輪を通して脱出しようとする空気が、ポケット８ｂに捕獲され、ポケット８ｂが膨らむことになる。その結果、Ｄ環１０の輪の部分の空間が閉鎖されて、空気の抜けを最小限にする。このように、閉塞片８は、あたかも逆止弁のように作用することができる。
【００２４】
本実施例のように、ポケット８ｂに部分折り返し部８ｃを設けると、ポケット８ｂより開きやすくなる。ポケット８ｂの上縁８ａにアイロンで折り癖を付けておいたり、ポケット８ｂの上縁８ａの内側に小さなスペーサを縫合しておいたりしてもよい。空気がポケット８ｂ内に入るきっかけを作るような構成を設けるのが望ましい。部分折り返し部８ｃは、特別な部材が必要無く、かつ癖を長続きさせることができるので好ましい。
【００２５】
上記実施例においては、開口片６、開口片７を設けたが、閉塞片８のみを設けても良い。この場合、ハーネス型安全帯を使用しないときにおける開口部５からの空気の漏れは、開口片６、開口片７が存在するときよりも大きくなる。一方で、開口片６、開口片７は、Ｄ環１０の輪の中から逃げる空気をとらえる機能が乏しいため、開口片６、開口片７が無くとも、閉塞片８のみを設ければＤ環１０による開口部５の空気抜けを防ぐことが出来るのである。
【符号の説明】
【００２６】
１     作業服
２     後身頃
３     袖
４     襟
５     開口部
６     開口片
７     開口片
８     閉塞片
８ａ     上縁
８ｂ     ポケット
８ｃ     部分折り返し部
１０     Ｄ環
５１、５２、５３     縫合糸
【要約】
【課題】
本発明は、空気の出入りを防ぐ開口部を簡易に作成することができ、空気抜けを最小化した作業服を提供することを目的とする。
【解決手段】
作業服１は、安全保護具が通される開口部５が形成されている。開口部５を塞ぐように一対の開口片６と開口片７が重ね合わされて後身頃２に縫合され、開口片６は上側及び左右側の各辺が後身頃２に縫合され、開口片７は下側及び左右側の各辺が後身頃２に縫合され、一対の開口片６、７の裏側に閉塞片８が縫合されている。閉塞片８は、生地の下部から１／４から１／３を折返してポケット８ｂを設けている。
【選択図】  図２【図１】
0006793413.tif 000002
【図２】
0006793413.tif 000003
【図３】
0006793413.tif 000004
【図４】
0006793413.tif 000005
【図５】
0006793413.tif 000006